(57)【要約】【課題】人を短時間で入眠させることのできる体温調節器を提供する。【解決手段】人体ＢＤの体温を調節する体温調節器１０は、人体ＢＤに取り付けられた状態で発熱するヒーター３０と、ヒーター３０の発熱量を調整するヒーター制御部５１と、を備える。ヒーター制御部５１は、予め設定された入眠時刻になると、体温を下げるようにヒーター３０の発熱量を調整する制御、である入眠制御を行うように構成されている。【選択図】図２
2019208558.tif 000002
【特許請求の範囲】
【請求項１】
人体（ＢＤ）の体温を調節する体温調節器（１０）であって、
前記人体に取り付けられた状態で発熱するヒーター（３０）と、
前記ヒーターの発熱量を調整するヒーター制御部（５１）と、を備え、
前記ヒーター制御部は、
予め設定された入眠時刻になると、前記体温を下げるように前記ヒーターの発熱量を調整する制御、である入眠制御を行うように構成されている体温調節器。
【請求項２】
前記ヒーター制御部は、
前記ヒーターで前記人体を加熱することにより前記体温を予め上げてから、前記入眠制御を行うように構成されている、請求項１に記載の体温調節器。
【請求項３】
使用者が行う操作に基づいて前記入眠時刻を設定する時刻設定部（５３）を更に備える、請求項１又は２に記載の体温調節器。
【請求項４】
前記人体の深部体温を取得する体温取得部（５２）を更に備え、
前記入眠制御において、前記ヒーター制御部は、
取得された前記深部体温に基づいて前記ヒーターの発熱量を調整するように構成されている、請求項１乃至３のいずれか１項に記載の体温調節器。
【請求項５】
前記ヒーター制御部は、
予め設定された起床時刻になると、前記体温を上げるように前記ヒーターの発熱量を調整する制御、である起床制御を行うように構成されている、請求項１乃至４のいずれか１項に記載の体温調節器。
【請求項６】
使用者が行う操作に基づいて前記起床時刻を設定する時刻設定部を更に備える、請求項５に記載の体温調節器。
【請求項７】
前記人体の深部体温を取得する体温取得部を更に備え、
前記起床制御において、前記ヒーター制御部は、
取得された前記深部体温に基づいて前記ヒーターの発熱量を調整するように構成されている、請求項５又は６に記載の体温調節器。
【請求項８】
前記人体の一部に巻き付けられることにより、前記ヒーターを前記人体に取り付けられた状態とする保持体を更に備える、請求項１乃至７のいずれか１項に記載の体温調節器。
【請求項９】
前記保持体は、前記人体のうち足首に巻き付けられるように構成されている、請求項８に記載の体温調節器。
【請求項１０】
前記保持体は、前記人体のうち手首に巻き付けられるように構成されている、請求項８に記載の体温調節器。
【発明の詳細な説明】
【技術分野】
【０００１】
本開示は、人体の体温を調節する体温調節器に関する。
【背景技術】
【０００２】
ヒーターによって人体の体温を調節し、これによりスムーズな入眠を促すことのできる体温調節器が知られている。例えば、下記特許文献１には、毛布に埋め込まれたヒーターの発熱量を制御し、これにより体温を調節することのできる体温調節器について記載されている。このように、従来の体温調節器は寝具の一部として構成されていた。
【０００３】
また、下記特許文献１には、予熱モードにおいて体温を予め上昇させ、その後の入眠モードにおいて体温を低下させるようにヒーターの発熱量を制御することで、入眠を促すことができることについても記載されている。
【先行技術文献】
【特許文献】
【０００４】
【特許文献１】特開２００３−１２５９０８号公報
【発明の概要】
【発明が解決しようとする課題】
【０００５】
体温調節器が寝具の一部として構成されている場合には、ヒーターによる体温調節は人が就床した後に開始されることとなる。このため、例えば体温を上昇させるための予熱に時間がかかってしまい、就床から入眠までの時間が長くなってしまう可能性がある。また、寝具の一部として構成された体温調節器は、その全体のサイズが大型化してしまうという問題もある。
【０００６】
本開示は、人を短時間で入眠させることのできる体温調節器を提供することを目的とする。
【課題を解決するための手段】
【０００７】
本開示に係る体温調節器（１０）は、人体（ＢＤ）に取り付けられた状態で発熱するヒーター（３０）と、ヒーターの発熱量を調整するヒーター制御部（５１）と、を備える。ヒーター制御部は、予め設定された入眠時刻になると、体温を下げるようにヒーターの発熱量を調整する制御、である入眠制御を行うように構成されている。
【０００８】
このような構成の体温調節器では、予め設定された入眠時刻になるとヒーター制御部が入眠制御を行う。入眠制御では、体温を下げるようにヒーターの発熱量が調整される。これにより、スムーズな入眠が促される。
【０００９】
この体温調節器が備えるヒーターは、毛布等の寝具に埋め込まれるものではなく、人体に取り付けられた状態で発熱するものである。このため、就床前の時点からヒーターを人体に取り付けておくことにより、就床前の時点から体温の調整を開始することが可能となる。これにより、就床後は短時間のうちに人を入眠させることが可能となる。
【発明の効果】
【００１０】
本開示によれば、人を短時間で入眠させることのできる体温調節器が提供される。
【図面の簡単な説明】
【００１１】
【図１】図１は、第１実施形態に係る体温調節器が人体に取り付けられた状態を示す図である。
【図２】図２は、第１実施形態に係る体温調節器の全体構成を示す図である。
【図３】図３は、体温調節器によって調節される体温の時間変化を示す図である。
【図４】図４は、制御装置によって実行される処理の流れを示すフローチャートである。
【図５】図５は、制御装置によって実行される処理の流れを示すフローチャートである。
【図６】図６は、制御装置によって実行される処理の流れを示すフローチャートである。
【図７】図７は、制御装置によって実行される処理の流れを示すフローチャートである。
【図８】図８は、第２実施形態に係る体温調節器が人体に取り付けられた状態を示す図である。
【発明を実施するための形態】
【００１２】
以下、添付図面を参照しながら本実施形態について説明する。説明の理解を容易にするため、各図面において同一の構成要素に対しては可能な限り同一の符号を付して、重複する説明は省略する。
【００１３】
図１及び図２を参照しながら、第１実施形態に係る体温調節器１０の構成について説明する。本実施形態に係る体温調節器１０は、図１に示されるように、ヒーター３０を含むその全体が、人体ＢＤのうち足首の部分に取り付けられた状態で使用されるものである。尚、「人体ＢＤ」とは、体温調節器１０の使用者の体のことである。体温調節器１０は、図１に示される状態でヒーターを発熱させ、その発熱量を調整することにより、動脈を流れる血液の温度を調整する。その結果として、人体ＢＤの体温が調節される。
【００１４】
体温調節器１０はその全体が柔軟な帯状となっており、図１に示されるように足首に巻き付けられた状態で固定される。図２には、体温調節器１０を足首から取り外し、帯状であるその全体を平坦な面に沿って伸ばした状態が示されている。
【００１５】
体温調節器１０は、保持体２０と、ヒーター３０と、バッテリ４０と、体温センサ６０と、脈拍センサ７０と、加速度センサ８０と、制御装置５０と、を備えている。
【００１６】
保持体２０は、体温調節器１０の外側部分を構成する帯状の部材である。保持体２０はその全体が袋状となっており、後述のバッテリ４０、体温センサ６０、脈拍センサ７０、加速度センサ８０、及び制御装置５０は、いずれも保持体２０の内側において保持されている。ただし、図２ではバッテリ４０等の配置を示すために、袋状である保持体２０の内側の構成が描かれている。
【００１７】
尚、ヒーター３０は、保持体２０のうち内側（人体ＢＤ側）において外部に露出している。保持体２０のうち人体ＢＤに触れる側の表面は、伝熱を妨げず、且つ肌触りを良くするための部材によって覆われている構成とすることが好ましい。
【００１８】
保持体２０は、柔軟性があり且つ通気性の良い繊維素材によって形成されていることが好ましい。このような繊維素材としては、例えば綿、ナイロン、ポリウレタン等を用いることができる。
【００１９】
保持体２０の内側（人体ＢＤ側）の表面のうち、その長手方向における端部近傍の部分には、接続部２１が設けられている。接続部２１は、体温調節器１０が人体ＢＤの足首に巻き付けられた際において、保持体２０のうち反対側の端部近傍の部分に対して接続され固定される部分である。本実施形態では、接続部２１としてマジックテープ（登録商標）が用いられている。
【００２０】
このように、保持体２０は、人体ＢＤの一部に巻き付けられることにより、ヒーター３０を人体ＢＤに取り付けられた状態とするためのものである。本実施形態における保持体２０は、人体ＢＤのうち足首に巻き付けられるように、その長さ（保持体２０の長手方向に沿った寸法）や幅（保持体２０の長手方向に対し垂直な方向に沿った寸法）等が設定されている。
【００２１】
ヒーター３０は、保持体２０によって人体ＢＤに取り付けられた状態で、電力の供給を受けて発熱するものである。ヒーター３０は、その表面が人体ＢＤの表面に沿うように、柔軟性を有する面状発熱体とすることが好ましい。このようなヒーター３０としては、例えば電熱線ヒーターやＰＴＣヒーター等を用いることができる。
【００２２】
ヒーター３０は、保持体２０が足首に巻き付けられた際において、図１のように足首のうち後方側の部分に当たるような位置に保持されている。これにより、足首のうち動脈に近い部分がヒーター３０によって加熱されるので、ヒーター３０による深部体温の調整を効率的に行うことができる。
【００２３】
ヒーター３０のうち中央となる位置には、温度センサ３１が設けられている。温度センサ３１によってヒーター３０の温度が測定される。温度センサ３１によって測定されたヒーター３０の温度は、制御装置５０に送信される。ヒーター３０において過昇温等の異常が生じたことが温度センサ３１によって検知されると、制御装置５０はヒーター３０への電力供給を停止させる。これにより、ヒーター３０の異常によって人体ＢＤに火傷を負わせてしまうような事態が防止される。
【００２４】
バッテリ４０は、ヒーター３０の動作用の電力を蓄えておくための蓄電池であって、例えばリチウムイオンバッテリーである。バッテリ４０から出力された電力は、図２に示される一対の電力線４１を介してヒーター３０に供給され、ヒーター３０を発熱させる。
【００２５】
尚、電力線４１の途中には、後述の制御装置５０が配置されている。制御装置５０は、電力線４１の途中に設けられた不図示のスイッチを開閉させることにより、ヒーター３０に電力が供給されている状態と、電力が供給されていない状態とを切り換える。このようなオンオフ制御のデューティの調整により、ヒーター３０の発熱量が調整される。
【００２６】
体温センサ６０は、人体ＢＤの体温を測定するための温度センサである。体温センサ６０は、人体ＢＤの表面体温を測定するセンサとして構成されている。尚、体温センサ６０のうち表面体温を検知する部分は、保持体２０の外側（人体ＢＤ側）に露出している。体温センサ６０によって測定された表面体温は、制御装置５０に送信される。
【００２７】
後に説明するように、制御装置５０は、体温センサ６０で測定された表面体温に基づいて人体ＢＤの深部体温を取得し、これに基づいてヒーター３０の発熱量を調整する。このような態様に替えて、体温センサ６０が、人体ＢＤの深部体温を直接測定することのできるセンサとして構成されていてもよい。
【００２８】
脈拍センサ７０は、人体ＢＤにおける脈拍数を測定するためのセンサである。脈拍センサ７０は、赤外線を人体ＢＤに照射することによって脈拍数を測定するように構成されている。尚、脈拍センサ７０のうち赤外線の発光及び受光を行う部分は、保持体２０の外側（人体ＢＤ側）に露出している。脈拍センサ７０によって測定された脈拍数は、制御装置５０に送信される。
【００２９】
加速度センサ８０は、体温調節器１０の全体の加速度を測定し、これにより人体ＢＤの動きを検知するためのセンサである。加速度センサ８０によって測定された加速度は、制御装置５０に送信される。
【００３０】
制御装置５０は、体温調節器１０の全体の動作を制御する装置である。制御装置５０は、ＣＰＵ、ＲＯＭ等を有するマイクロコンピュータと、電力線４１の途中に設けられた不図示のスイッチと、を組み合わせた装置となっている。制御装置５０は、機能的な制御ブロックとして、ヒーター制御部５１と、体温取得部５２と、時刻設定部５３と、入眠判定部５４と、を備えている。
【００３１】
ヒーター制御部５１は、ヒーター３０の発熱量を調整する処理を行う部分である。ヒーター制御部５１は、電力線４１の途中に設けられた不図示のスイッチを開閉させることにより、ヒーター３０の発熱量を調整する。ヒーター制御部５１によるヒーター３０の具体的な制御方法については後述する。
【００３２】
体温取得部５２は、人体ＢＤの深部体温を取得する処理を行う部分である。体温取得部５２は、体温センサ６０で測定された表面体温に基づいて人体ＢＤの深部体温を取得する。深部体温とは、人体ＢＤの表面よりも奥側における体温のことである。深部体温は、例えば、体温センサ６０で測定された表面体温と、表面体温の変化等によって推測される熱流（人体ＢＤの表面を単位時間当たりに通過する熱量）とに基づいて算出し取得することができる。
【００３３】
尚、人体ＢＤの表面体温が上がると深部体温は下がり、表面体温が下がると深部体温は上がることが知られている。このため、表面体温の時間変化と、深部体温の時間変化との間の相関関係を、制御装置５０が予めマップとして記憶しておくこととしてもよい。この場合、体温取得部５２は、体温センサ６０で測定された表面体温の時間変化と、上記マップとを参照することにより、人体ＢＤの深部体温を取得することができる。
【００３４】
また、既に述べたように、体温センサ６０が、人体ＢＤの深部体温を直接測定することのできるセンサとして構成されていてもよい。この場合、体温取得部５２は、体温センサ６０で測定された深部体温の値をそのまま取得することができる。
【００３５】
時刻設定部５３は、入眠時刻及び起床時刻のそれぞれを設定する処理を行う部分である。「入眠時刻」とは、使用者の入眠を促すための制御である入眠制御（詳細は後述）を開始する時刻として、予め設定される時刻である。また、「起床時刻」とは、睡眠状態の使用者を覚醒させ起床させるための制御である起床制御（詳細は後述）を開始する時刻として、予め設定される時刻である。
【００３６】
時刻設定部５３は、使用者が行う操作に基づいて、上記の入眠時刻及び起床時刻を設定する。具体的には、時刻設定部５３は、使用者が所有する携帯通信端末と無線通信を行うことにより、携帯通信端末の画面（例えばタッチパネル）に操作用のユーザーインターフェイスを表示させる。携帯通信端末を使用者が操作すると、その操作の結果を示す情報が携帯通信端末から時刻設定部５３へと送信される。時刻設定部５３は、送信された当該情報に基づいて、入眠時刻及び起床時刻を設定する。これにより、使用者の生活パターンに合わせた適切なタイミングで、後述の入眠制御や起床制御を開始することが可能となる。
【００３７】
このような態様に替えて、使用者の操作を受け付けるスイッチやタッチパネル画面等が、保持体２０の一部に設けられているような態様であってもよい。
【００３８】
入眠判定部５４は、体温調節器１０の使用者が入眠しているか否かを判定する部分である。使用者が入眠すると、脈拍センサ７０によって測定される脈拍数は小さくなり、加速度センサ８０によって測定される加速度は概ね０となる。入眠判定部５４は、脈拍センサ７０及び加速度センサ８０のそれぞれの測定値に基づいて、使用者が入眠したか否かを判定する。使用者が入眠したか否かの判定は、脈拍センサ７０及び加速度センサ８０のうち一方のみの測定値に基づいて行われることとしてもよい。
【００３９】
また、入眠判定部５４は、睡眠中であった体温調節器１０の使用者が、覚醒して起床したか否かを判定することもできる。使用者が起床すると、脈拍センサ７０によって測定される脈拍数は大きくなり、加速度センサ８０によって測定される加速度は０よりも大きな値となる。入眠判定部５４は、脈拍センサ７０及び加速度センサ８０のそれぞれの測定値に基づいて、使用者が起床したか否かを判定する。使用者が起床したか否かの判定は、脈拍センサ７０及び加速度センサ８０のうち一方のみの測定値に基づいて行われることとしてもよい。
【００４０】
ヒーター制御部５１によって行われる制御の概要について、図３を参照しながら説明する。同図には、体温取得部５２によって取得される人体ＢＤの深部体温の時間変化の一例が示されている。
【００４１】
図３に示される例では、時刻ｔ１２が上記の入眠時刻として設定されている。また、時刻ｔ１０は、入眠時刻（時刻ｔ１２）よりも３０分間だけ前の時刻である
【００４２】
体温調節器１０は、時刻ｔ１０よりも前の時点、具体的には使用者の就床前の時点から、人体ＢＤの足首に取り付けられた状態となっている。時刻ｔ１０までの期間では、ヒーター３０への電力供給は行われておらず、ヒーター３０の発熱量は０となっている。
【００４３】
時刻ｔ１０までの期間では、上記のようにヒーター３０の発熱量は０となっているのであるが、深部体温は緩やかに上昇している。これは、就寝の時刻が近くなってきたことに伴う人体ＢＤの生理現象によるものである。
【００４４】
入眠時刻の３０分前である時刻ｔ１０になると、ヒーター３０への電力供給が開始される。ヒーター３０の発熱に伴って、深部体温は時刻ｔ１０から上がり始める。図３に示される例では、時刻ｔ１１において深部体温がＴ１まで上昇している。深部体温がＴ１まで上昇すると、ヒーター３０への電力供給が停止される。
【００４５】
その後、ヒーター制御部５１はオンオフ制御を行うことにより、体温取得部５２で取得される深部体温をＴ２からＴ１までの範囲に維持する。Ｔ２及びＴ１（Ｔ１＞Ｔ２）はいずれも、就寝中における使用者の深部体温よりも高い温度として予め設定されている。このようなオンオフ制御は、入眠時刻として設定された時刻ｔ１２まで継続される。
【００４６】
入眠時刻（ｔ１２）になると、ヒーター制御部５１はヒーター３０への電力供給を停止させる。これに伴い、時刻ｔ１２以降では深部体温が下がっている。一般に知られているように、深部体温が下がると使用者の入眠が促される。このため、時刻ｔ１２以降は、体温調節器１０が取り付けられた使用者の入眠が促され、使用者は短時間のうちに入眠することとなる。
【００４７】
時刻ｔ１２以降に行われる制御は、人体ＢＤの体温を下げるようにヒーター３０の発熱量を調整することにより、使用者の入眠を促す制御となっている。当該制御のことを、以下では「入眠制御」とも称する。
【００４８】
このように、本実施形態におけるヒーター制御部５１は、予め設定された入眠時刻になると、体温を下げるようにヒーター３０の発熱量を調整する制御、である入眠制御を行うように構成されている。これにより、入眠時刻から使用者の入眠を促すことができる。
【００４９】
また、ヒーター制御部５１は、ヒーター３０で人体ＢＤを加熱することにより体温を予め上げてから、入眠制御を行うように構成されている。これにより、入眠制御において体温を大きく下げることができ、使用者の入眠を効率的に促すことができる。尚、体温調節器１０は寝具の一部ではなく、人体ＢＤに取り付けられるものである。このため、上記のように入眠制御の前に体温を上げておく処理は、使用者の就床前の時点から開始することができる。これにより、就床後の短時間のうちに使用者を入眠させることが可能となる。
【００５０】
ヒーター３０による人体ＢＤの加熱は、本実施形態のように起床時刻から所定時間前のタイミングで開始してもよいのであるが、その他のタイミングで開始してもよい。例えば、体温調節器１０が人体ＢＤに取り付けられた直後から加熱を開始し、起床時刻からヒーターの発熱量を下げるような態様であってもよい。
【００５１】
体温調節器１０は、人体ＢＤに取り付け可能なコンパクトな構成であるから、寝具の一部である場合に比べて製造コストが低く抑えられるという利点も得られる。体温調節器１０の取り付けられる位置は特に限定されないが、本実施形態のように足首に取り付けられる構成であれば、使用者に煩わしい思いをさせることなく、動脈を流れる血液を加熱することができるので好ましい。
【００５２】
入眠制御の実行中においては、ヒーター３０の発熱量を常に０としてもよい。しかしながら、本実施形態では後に説明する理由により、入眠制御中の深部体温がＴ４からＴ３までの範囲に維持されるよう、ヒーター３０の発熱量が調整される。ヒーター制御部５１は、深部体温を当該範囲に維持しながら、使用者の入眠を待機する。
【００５３】
使用者が入眠したとの判定が入眠判定部５４によってなされた場合には、制御装置５０は入眠制御を終了し、待機状態となる。待機状態では、ヒーター３０への電力供給が完全に停止される。これにより、使用者の快適な睡眠状態が維持される。図３に示される例では、時刻ｔ１４において使用者が入眠したとの判定がなされている。
【００５４】
尚、所定期間が経過しても使用者が入眠したとの判定がなされなかった場合には、ヒーター制御部５１は、ヒーター３０によって深部体温を再びＴ１まで上げた後、再び時刻ｔ１２以降と同様の入眠制御を行う。
【００５５】
図３に示される例では、入眠制御の途中で深部体温がＴ４まで低下した時刻ｔ１３に、ヒーター３０への電力供給が再開されている。以降においては、ヒーター制御部５１はオンオフ制御を行うことにより、体温取得部５２で取得される深部体温をＴ４からＴ３までの範囲に維持している。Ｔ４及びＴ３（Ｔ３＞Ｔ４）はいずれも、Ｔ２よりも低い温度であって、就寝中における使用者の深部体温よりも僅かに高い温度として予め設定されている。
【００５６】
このように、入眠制御の途中から、使用者が入眠したとの判定がなされるまでの間は、深部体温がＴ４からＴ３までの範囲に維持される。これは、上記のように入眠制御が再開される場合において、深部体温を再びＴ１まで上げるのに必要となる電力を抑制するためである。
【００５７】
以上のように、ヒーター制御部５１は、体温取得部５２によって取得された人体ＢＤの深部体温に基づいて、ヒーター３０の発熱量を調整するように構成されている。これにより、入眠制御の前に予め深部体温を所定の温度範囲（Ｔ２からＴ１）に維持したり、入眠制御中における深部体温を所定の温度範囲（Ｔ４からＴ３）に維持したりすることが可能となっている。
【００５８】
入眠時刻が設定される際には、携帯通信端末の画面において使用者が入力した時刻がそのまま入眠時刻として設定されてもよいのであるが、使用者が入力した時刻とは異なる時刻が入眠時刻として設定されてもよい。例えば、入眠制御が開始されてから１５分後に使用者が入眠する可能性が高い場合においては、使用者が入力した時刻（入眠したい時刻）の１５分前の時刻が、入眠制御が開始される入眠時刻として設定されることとしてもよい。
【００５９】
図３に示される例では、時刻ｔ１５が、先に述べた起床時刻として設定されている。時刻ｔ１５までの期間では、使用者は睡眠状態となっており、制御装置５０は上記の入眠制御が終了した後の待機状態となっている。このため、当該期間においてはヒーター３０への電力供給は行われていない。
【００６０】
起床時刻である時刻ｔ１５になると、ヒーター３０への電力供給が開始される。ヒーター３０の発熱に伴って、深部体温は時刻ｔ１５から上がり始める。図３に示される例では、時刻ｔ１６において深部体温がＴ１まで上昇している。深部体温がＴ１まで上昇すると、ヒーター３０への電力供給が停止される。その後、ヒーター制御部５１はオンオフ制御を行うことにより、体温取得部５２で取得される深部体温をＴ２からＴ１までの範囲に維持する。
【００６１】
一般に知られているように、睡眠中において深部体温が上がると使用者の覚醒が促される。このため、時刻ｔ１５以降は、体温調節器１０が取り付けられた使用者の覚醒が促され、使用者は短時間のうちに覚醒し起床することとなる。起床前の時点から深部体温を上げることにより、使用者を自然に覚醒させ起床させることができる。
【００６２】
時刻ｔ１５以降に行われる制御は、人体ＢＤの体温を上げるようにヒーター３０の発熱量を調整することにより、睡眠状態の使用者を覚醒させ起床させる制御となっている。当該制御のことを、以下では「起床制御」とも称する。
【００６３】
このように、本実施形態におけるヒーター制御部５１は、予め設定された起床時刻になると、体温を上げるようにヒーター３０の発熱量を調整する制御、である起床制御を行うように構成されている。
【００６４】
使用者が起床したとの判定が入眠判定部５４によってなされた場合には、制御装置５０は起床制御を終了し、待機状態となる。待機状態では、ヒーター３０への電力供給が完全に停止される。図３に示される例では、時刻ｔ１７において使用者が起床したとの判定がなされている。
【００６５】
先に述べたように、ヒーター制御部５１は、体温取得部５２によって取得された人体ＢＤの深部体温に基づいて、ヒーター３０の発熱量を調整するように構成されている。これにより、起床制御中における深部体温を所定の温度範囲（Ｔ２からＴ１）に維持することが可能となっている。
【００６６】
起床時刻が設定される際には、携帯通信端末の画面において使用者が入力した時刻がそのまま起床時刻として設定されてもよいのであるが、使用者が入力した時刻とは異なる時刻が起床時刻として設定されてもよい。例えば、起床制御が開始されてから１５分後に使用者が覚醒し起床する可能性が高い場合においては、使用者が入力した時刻（起床したい時刻）の１５分前の時刻が、起床制御が開始される起床時刻として設定されることとしてもよい。
【００６７】
入眠制御や起床制御を実現するために行われる処理の具体的な流れについて、図４等を参照しながら説明する。図４に示される一連の処理は、一日のうち特定の時刻において、制御装置５０によって開始される処理となっている。
【００６８】
当該処理の最初のステップＳ０１では、入眠時刻が設定される。既に述べたように、入眠時刻の設定は、使用者が予め携帯通信端末に対して行った操作に基づいて、時刻設定部５３によって行われる。尚、入眠時刻の設定は、図４に示される一連の処理が開始されるよりも前のタイミング（例えば、使用者による操作が行われたタイミング）で行われてもよい。
【００６９】
ステップＳ０１に続くステップＳ０２では、起床時刻が設定される。既に述べたように、起床時刻の設定は、使用者が予め携帯通信端末に対して行った操作に基づいて、時刻設定部５３によって行われる。尚、起床時刻の設定についても上記と同様に、図４に示される一連の処理が開始されるよりも前のタイミング（例えば、使用者による操作が行われたタイミング）で行われてもよい。
【００７０】
ステップＳ０２に続くステップＳ０３では、現在時刻を確認する処理が行われる。当該処理は、制御装置５０に内蔵された時計を参照することによって行われてもよく、例えば携帯通信端末のような外部機器との通信によって行われてもよい。
【００７１】
ステップＳ０３に続くステップＳ０４では、ステップＳ０３で確認された現在時刻が、ステップＳ０１で設定された入眠時刻の３０分前（又はそれ以降）であるか否かが判定される。現在時刻が、入眠時刻の３０分前よりも更に前である場合には、ステップＳ０３以降の処理が繰り返し実行される。現在時刻が入眠時刻の３０分前である場合にはステップＳ０５に移行する。
【００７２】
ステップＳ０５では、ヒーター制御部５１によってヒーター３０への電力供給が開始される。これにより、人体ＢＤが加熱されて深部体温が上がり始める。当該処理は、図３の例においては時刻ｔ１０で開始される処理、すなわち、入眠制御に先立って深部体温を上げておく処理に該当する。
【００７３】
ステップＳ０５に続くステップＳ０６では、体温取得部５２によって取得される深部体温が、図３に示されるＴ１以下であるか否かが判定される。深部体温がＴ１以下であった場合にはステップＳ０７に移行する。この場合、ヒーター３０による人体ＢＤの加熱が継続して行われる。
【００７４】
ステップＳ０７では、ステップＳ０３と同様に現在時刻を確認する処理が行われる。ステップＳ０７に続くステップＳ０８では、ステップＳ０７で確認された現在時刻が、入眠時刻（又はそれ以降）であるか否かが判定される。現在時刻が未だ入眠時刻になっていない場合には、ステップＳ０５以降の処理が再度実行される。現在時刻が入眠時刻となっている場合にはステップＳ０９に移行する。ステップＳ０９では入眠制御が実行される。当該処理は、図３の例においては時刻ｔ１２で開始されるものである。
【００７５】
ステップＳ０６において、深部体温がＴ１を超えていた場合には、ステップＳ１０に移行する。ステップＳ１０では、ヒーター制御部５１によってヒーター３０への電力供給が停止される。このような処理が行われることにより、深部体温は概ねＴ１以下の範囲内に維持される。当該処理は、図３の例においては時刻ｔ１１で実行されるものである。
【００７６】
ステップＳ１０に続くステップＳ１１では、体温取得部５２によって取得される深部体温が、図３に示されるＴ２以上であるか否かが判定される。深部体温がＴ２以上であった場合にはステップＳ１２に移行する。この場合、ヒーター３０の発熱量は引き続き０のままとなる。
【００７７】
ステップＳ１２では、ステップＳ０３と同様に現在時刻を確認する処理が行われる。ステップＳ１２に続くステップＳ１３では、ステップＳ１２で確認された現在時刻が、入眠時刻（又はそれ以降）であるか否かが判定される。現在時刻が未だ入眠時刻になっていない場合には、ステップＳ１０以降の処理が再度実行される。現在時刻が入眠時刻となっている場合には、先に述べたステップＳ０９に移行し、入眠制御が実行される。
【００７８】
ステップＳ１１において、深部体温がＴ２未満であった場合には、ステップＳ０５以降の処理が再度実行される。これにより、入眠時刻となるまでの期間においては、深部体温が概ねＴ２からＴ１の範囲内に維持される。当該処理は、図３の例においては時刻ｔ１１から時刻ｔ１２までの期間で実行されるものである。
【００７９】
ステップＳ０９において実行される処理（つまり入眠制御）の具体的な内容について、図５を参照しながら説明する。入眠制御における最初のステップＳ２１では、ヒーター制御部５１によってヒーター３０への電力供給が停止される。これにより、人体ＢＤの加熱が停止され、深部体温が下がり始める。当該処理は、図３の例においては時刻ｔ１２で開始される処理に該当する。
【００８０】
ステップＳ２１に続くステップＳ２２では、体温取得部５２によって取得される深部体温が、図３に示されるＴ４以上であるか否かが判定される。深部体温がＴ４以上であった場合にはステップＳ２３に移行する。この場合、ヒーター３０の発熱量は引き続き０のままとなる。
【００８１】
ステップＳ２３では、使用者が入眠したか否かが入眠判定部５４によって判定される。使用者が入眠したと判定された場合には、ステップＳ２４に移行する。ステップＳ２４では、ヒーター制御部５１によってヒーター３０への電力供給が停止される。これにより入眠制御は終了する。当該処理は、図３の例においては時刻ｔ１４で実行されるものである。尚、ステップＳ２４への移行時において既にヒーター３０への電力供給が停止されていた場合には、当該状態が維持される。
【００８２】
ステップＳ２３において、使用者が未だ入眠していないと判定された場合には、ステップＳ２１以降の処理が繰り返し実行される。
【００８３】
ステップＳ２２において、深部体温がＴ４未満であった場合には、ステップＳ２５に移行する。ステップＳ２５では、ヒーター制御部５１によってヒーター３０への電力供給が開始される。これにより、人体ＢＤが加熱されて深部体温が上がり始める。
【００８４】
ステップＳ２５に続くステップＳ２６では、体温取得部５２によって取得される深部体温が、図３に示されるＴ３以下であるか否かが判定される。深部体温がＴ３以下であった場合にはステップＳ２７に移行する。この場合、ヒーター３０による人体ＢＤの加熱が継続して行われる。
【００８５】
ステップＳ２７では、使用者が入眠したか否かが入眠判定部５４によって判定される。使用者が入眠したと判定された場合には、先に述べたステップＳ２４に移行する。使用者が未だ入眠していないと判定された場合には、ステップＳ２５以降の処理が繰り返し実行される。
【００８６】
ステップＳ２６において、深部体温がＴ３を超えていた場合にはステップＳ２１以降の処理が繰り返し実行される。これにより、入眠制御において深部体温がＴ４まで低下した後は、使用者が入眠したと判定されるまでの間、深部体温は概ねＴ４からＴ３の範囲内に維持される。当該処理は、図３の例においては時刻ｔ１３から時刻ｔ１４までの期間に実行される処理に該当する。
【００８７】
尚、入眠制御の実行中においては、図５に示される一連の処理と並行して、入眠制御が開始されてからの経過時間を計測する処理が行われる。当該処理において、経過時間が所定の閾値を越えた場合には、実行中の入眠制御が中断され、図４のステップＳ０５以降の処理が再度実行される。これにより、深部体温を下げることによって使用者の入眠を促す処理が再実行されることとなる。
【００８８】
図６に示される処理は、図４に示される処理が終了した後、引き続き制御装置５０によって開始される処理となっている。
【００８９】
当該処理の最初のステップＳ３１では、図４のステップＳ０３と同様に現在時刻を確認する処理が行われる。ステップＳ３１に続くステップＳ３２では、ステップＳ３１で確認された現在時刻が、図４のステップＳ０２で設定された起床時刻（又はそれ以降）であるか否かが判定される。現在時刻が未だ起床時刻になっていない場合には、ステップＳ３１以降の処理が繰り返し実行される。現在時刻が起床時刻となっている場合にはステップＳ３３に移行する。ステップＳ３３では起床制御が実行される。
【００９０】
ステップＳ３３において実行される処理（つまり起床制御）の具体的な内容について、図７を参照しながら説明する。起床制御における最初のステップＳ４１では、ヒーター制御部５１によってヒーター３０への電力供給が開始される。これにより、人体ＢＤが加熱されて深部体温が上がり始める。当該処理は、図３の例においては時刻ｔ１５で開始される処理に該当する。
【００９１】
ステップＳ４１に続くステップＳ４２では、体温取得部５２によって取得される深部体温が、図３に示されるＴ１以下であるか否かが判定される。深部体温がＴ１以下であった場合にはステップＳ４３に移行する。この場合、ヒーター３０による人体ＢＤの加熱が継続して行われる。
【００９２】
ステップＳ４３では、使用者が覚醒し起床したか否かが入眠判定部５４によって判定される。使用者が起床したと判定された場合には、ステップＳ４４に移行する。ステップＳ４４では、ヒーター制御部５１によってヒーター３０への電力供給が停止される。これにより起床制御は終了する。当該処理は、図３の例においては時刻ｔ１７で実行されるものである。尚、ステップＳ４４への移行時において既にヒーター３０への電力供給が停止されていた場合には、当該状態が維持される。
【００９３】
ステップＳ４３において、使用者が未だ起床していないと判定された場合には、ステップＳ４１以降の処理が繰り返し実行される。
【００９４】
ステップＳ４２において、深部体温がＴ１を超えていた場合には、ステップＳ４５に移行する。ステップＳ４５では、ヒーター制御部５１によってヒーター３０への電力供給が停止される。このような処理が行われることにより、深部体温は概ねＴ１以下の範囲内に維持される。当該処理は、図３の例においては時刻ｔ１６で実行されるものである。
【００９５】
ステップＳ４５に続くステップＳ４６では、体温取得部５２によって取得される深部体温が、図３に示されるＴ２以上であるか否かが判定される。深部体温がＴ２以上であった場合にはステップＳ４７に移行する。この場合、ヒーター３０の発熱量は引き続き０のままとなる。
【００９６】
ステップＳ４７では、使用者が覚醒し起床したか否かが入眠判定部５４によって判定される。使用者が起床したと判定された場合には、先に述べたステップＳ４４に移行する。使用者が未だ起床していないと判定された場合には、ステップＳ４５以降の処理が繰り返し実行される。
【００９７】
ステップＳ４６において、深部体温がＴ２未満であった場合には、ステップＳ４１以降の処理が再度実行される。これにより、使用者が起床したと判定されるまでの期間においては、深部体温が概ねＴ２からＴ１の範囲内に維持される。当該処理は、図３の例においては時刻ｔ１６から時刻ｔ１７までの期間で実行されるものである。
【００９８】
以上に説明した例では、入眠制御や起床制御を実現するための演算処理が、保持体２０によって保持された制御装置５０によって実行されている。このような態様に替えて、上記演算処理が、保持体２０とは異なる位置に存在する外部装置（例えば携帯通信端末）によって実行されることとしてもよい。例えば、制御装置５０が、外部機器から送信される制御信号に基づいて、電力線４１の途中に設けられた不図示のスイッチの開閉を行うこととしてもよい。この場合、ヒーター制御部５１、体温取得部５２、及び時刻設定部５３の各機能は、上記の外部機器によって実現されることとなる。
【００９９】
本実施形態では、体温取得部５２が人体ＢＤの深部体温を取得し、取得された深部体温に基づいてヒーター３０の発熱量が調整される。このような態様に替えて、ヒーター制御部５１によるヒーター３０の発熱量の調整が、体温センサ６０で測定された表面体温のみに基づいて行われることとしてもよい。つまり、深部体温の算出が行われないこととしてもよい。
【０１００】
また、ヒーター制御部５１によるヒーター３０の発熱量の調整が、人体ＢＤ体温に基づかずに行われることとしてもよい。例えば、予め定められた一定時間だけヒーター３０をオンとした後、入眠時刻においてヒーター３０をオフとする制御が、入眠制御として行われる態様であってもよい。
【０１０１】
しかしながら、使用者を効率的かつ安全に入眠させるよう、深部体温を適切に調整するためには、本実施形態のように、取得された深部体温に基づいてヒーター３０の発熱量の調整が行われることが好ましい。
【０１０２】
本実施形態では、ヒーター制御部５１によるヒーター３０の発熱量の調整が、オンオフ制御によって行われる。このような態様に替えて、ヒーター３０の発熱量を連続的に変化させるような調整がヒーター制御部５１によって行われ、これにより入眠制御や起床制御が行われることとしてもよい。
【０１０３】
第２実施形態について説明する。図８に示されるように、本実施形態では、体温調節器１０の保持体２０が、人体ＢＤの足首ではなく手首に巻き付けられることにより、ヒーター３０が人体ＢＤに取り付けられる構成となっている。本実施形態における保持体２０は、人体ＢＤのうち手首に巻き付けられるように、その長さ（保持体２０の長手方向に沿った寸法）や幅（保持体２０の長手方向に対し垂直な方向に沿った寸法）等が設定されている。
【０１０４】
ヒーター３０は、保持体２０が手首に巻き付けられた際において、図８のように手首のうち手の平側の部分に当たるような位置に保持されている。これにより、手首のうち動脈に近い部分がヒーター３０によって加熱されるので、ヒーター３０による体温の調整を効率的に行うことができる。
【０１０５】
その他の構成や、制御装置５０において実行される処理の内容については第１実施形態と同じである。このような態様であっても、第１実施形態において説明したものと同様の効果を奏する。
【０１０６】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【０１０７】
１０：体温調節器
３０：ヒーター
５１：ヒーター制御部
ＢＤ：人体
【図１】
2019208558.tif 000003
【図２】
2019208558.tif 000004
【図３】
2019208558.tif 000005
【図４】
2019208558.tif 000006
【図５】
2019208558.tif 000007
【図６】
2019208558.tif 000008
【図７】
2019208558.tif 000009
【図８】
2019208558.tif 000010